(57)【要約】【課題】動画の撮影中に静止画を撮影した場合に、関連付けられた画像データに対して簡単に画像処理を行うことができるようにする。【解決手段】動画データに対して、静止画データに対する画像処理の結果を反映させた画像処理を行う。この時、１つの動画の撮影中に複数の静止画を撮影した場合であって、各静止画が異なる画像処理結果となるように画像処理をしている場合は、その間の動画のフレームは徐々に変化していくように画像処理を反映させるようにして、ユーザーの手間を省くとともに、関連付けしてあるデータ群の一貫性を保持することができるようにする。【選択図】図１
2010050913.tif 000002
【特許請求の範囲】
【請求項１】
動画データと、前記動画データの撮影中に撮影された静止画データとを記憶する画像処理装置であって、
前記動画データ及び静止画データに対して、前記動画データと前記静止画データとを互いに関連付けた画像処理を行う画像処理手段を有することを特徴とする画像処理装置。
【請求項２】
動画データと、前記動画データの撮影中に撮影された静止画データとを記憶する画像処理装置であって、
前記静止画データに対して所定の画像処理を行うとともに、前記動画データに対して、前記静止画データに対する画像処理の結果を反映させた画像処理を行う画像処理手段を有することを特徴とする画像処理装置。
【請求項３】
前記画像処理手段は、前記動画データがフレーム毎に画像効果が変化するように撮影された場合には、前記動画データに対して、前記静止画データに対する画像処理の結果を反映させないように前記画像処理手段に対して設定する設定手段をさらに有することを特徴とする請求項２に記載の画像処理装置。
【請求項４】
前記動画データに対して、前記静止画データに対する画像処理の結果を反映させないように前記画像処理手段に対して設定する設定手段をさらに有することを特徴とする請求項２に記載の画像処理装置。
【請求項５】
前記静止画データに対する画像処理の結果に前記動画データの画像処理の結果を合わせるように前記画像処理手段に対して設定する設定手段をさらに有することを特徴とする請求項２に記載の画像処理装置。
【請求項６】
前記静止画データに対する画像処理における変化量を前記動画データに反映させるように前記画像処理手段に対して設定する設定手段をさらに有することを特徴とする請求項２に記載の画像処理装置。
【請求項７】
前記画像処理手段は、１つの動画データの撮影中に複数の静止画データが撮影された場合に、前記複数の静止画データに挟まれた前記動画データのフレームの画像効果が徐々に変化していくように反映させることを特徴とする請求項２に記載の画像処理装置。
【請求項８】
前記画像処理手段によって前記静止画に対する画像処理の結果を前記動画データに反映させた画像処理が行われた場合に、前記動画データの管理情報に画像処理の履歴のタグを記録する記録手段をさらに有することを特徴とする請求項２〜７の何れか１項に記載の画像処理装置。
【請求項９】
動画データと、前記動画データの撮影中に撮影された静止画データとを記憶する画像処理装置であって、
前記動画データに対して所定の画像処理を行うとともに、前記静止画データに対して、前記動画データに対する画像処理の結果を反映させた画像処理を行う画像処理手段を有することを特徴とする画像処理装置。
【請求項１０】
前記静止画データに対して、前記動画データに対する画像処理の結果を反映させないように前記画像処理手段に対して設定する設定手段をさらに有することを特徴とする請求項９に記載の画像処理装置。
【請求項１１】
前記動画データに対する画像処理の結果に前記静止画データの画像処理の結果を合わせるように前記画像処理手段に対して設定する設定手段をさらに有することを特徴とする請求項９に記載の画像処理装置。
【請求項１２】
前記動画データに対する画像処理における変化量を前記静止画データに反映させるように前記画像処理手段に対して設定する設定手段をさらに有することを特徴とする請求項９に記載の画像処理装置。
【請求項１３】
前記画像処理手段によって前記動画データに対する画像処理の結果を前記静止画データに反映させた画像処理が行われた場合に、前記静止画データの管理情報に画像処理の履歴のタグを記録する記録手段をさらに有することを特徴とする請求項９〜１２の何れか１項に記載の画像処理装置。
【請求項１４】
１つの動画データの撮影中に撮影された複数の静止画データを記憶する画像処理装置であって、
前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理手段を有することを特徴とする画像処理装置。
【請求項１５】
動画データと、前記動画データの撮影中に撮影された静止画データとを記憶する画像処理装置における画像処理方法であって、
前記動画データ及び静止画データに対して、前記動画データと前記静止画データとを互いに関連付けた画像処理を行う画像処理工程を有することを特徴とする画像処理方法。
【請求項１６】
動画データと、前記動画データの撮影中に撮影された静止画データとを記憶する画像処理装置における画像処理方法であって、
前記静止画データに対して所定の画像処理を行うとともに、前記動画データに対して、前記静止画データに対する画像処理の結果を反映させた画像処理を行う画像処理工程を有することを特徴とする画像処理方法。
【請求項１７】
動画データと、前記動画データの撮影中に撮影された静止画データとを記憶する画像処理装置における画像処理方法であって、
前記動画データに対して所定の画像処理を行うとともに、前記静止画データに対して、前記動画データに対する画像処理の結果を反映させた画像処理を行う画像処理工程を有することを特徴とする画像処理方法。
【請求項１８】
１つの動画データの撮影中に撮影された複数の静止画データを記憶する画像処理装置における画像処理方法であって、
前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理工程を有することを特徴とする画像処理方法。
【請求項１９】
動画データと、前記動画データの撮影中に撮影された静止画データとを記憶する画像処理装置においてコンピュータに実行させるプログラムであって、
前記動画データ及び静止画データに対して、前記動画データと前記静止画データとを互いに関連付けた画像処理を行う画像処理工程をコンピュータに実行させることを特徴とするプログラム。
【請求項２０】
動画データと、前記動画データの撮影中に撮影された静止画データとを記憶する画像処理装置においてコンピュータに実行させるプログラムであって、
前記静止画データに対して所定の画像処理を行うとともに、前記動画データに対して、前記静止画データに対する画像処理の結果を反映させた画像処理を行う画像処理工程をコンピュータに実行させることを特徴とするプログラム。
【請求項２１】
動画データと、前記動画データの撮影中に撮影された静止画データとを記憶する画像処理装置においてコンピュータに実行させるプログラムであって、
前記動画データに対して所定の画像処理を行うとともに、前記静止画データに対して、前記動画データに対する画像処理の結果を反映させた画像処理を行う画像処理工程をコンピュータに実行させることを特徴とするプログラム。
【請求項２２】
１つの動画データの撮影中に撮影された複数の静止画データを記憶する画像処理装置においてコンピュータに実行させるプログラムであって、
前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理工程をコンピュータに実行させることを特徴とするプログラム。
【請求項２３】
請求項１９〜２２の何れか１項に記載のプログラムを記憶したことを特徴とするコンピュータ読み取り可能な記憶媒体。
【発明の詳細な説明】
【技術分野】
【０００１】
本発明は画像処理装置、画像処理方法、プログラム及び記憶媒体に関し、特に、動画の撮影中に静止画を撮影した場合に用いて好適な技術に関する。
【背景技術】
【０００２】
従来、デジタルカメラを用いて動画を撮影している時に、同時に静止画を撮影した場合、動画データと静止画データとを関連付けて記録しておく。そして、動画もしくは静止画を後で検索しやすいようにしたり、静止画のスライドショーを行う時や動画データを再生する時に、同時に記録されている動画データ及び静止画データがあることを表示したりする。これにより、ユーザーに新しい楽しみ方を提供する工夫が提案されている。
【０００３】
例えば、特許文献１に記載の画像処理装置では、動画データと静止画データとを順序良く再生できるように記録媒体に記録している。また、特許文献２に記載の画像記録再生装置では、動画及び静止画の撮影日時情報を利用して、動画の撮影中に撮影した静止画から動画を検索しやすくし、動画から静止画を検索しやすくしている。さらに、特許文献３に記載の電子カメラでは、動画の撮影中に撮影された静止画及び撮影中の動画に双方の画像を特定するリンク情報と、静止画の撮影タイミングを示す情報とを関連付けて記録する。そして、動画データまたは静止画データを再生する時にユーザーに知らせるようにしている。
【０００４】
また、動画の情報のみから静止画を切り出して、静止画としての画像効果を適用させる方法も提案されている。例えば、特許文献４に記載の画像処理装置では、動画データ中の指定範囲について所定数の静止画を切り出し、所望の画像効果を適用させて印刷している。
【０００５】
【特許文献１】特開２００７−１１６４６１号公報
【特許文献２】特開２０００−６９４０７号公報
【特許文献３】特開２００４−３０４４２５号公報
【特許文献４】特開２００４−６４２３１号公報
【発明の開示】
【発明が解決しようとする課題】
【０００６】
従来の技術では、動画の撮影中に静止画を撮影した場合に、動画データと静止画データとを関連付けて記録している。ところが、ホワイトバランスや色の濃さなどの画像効果を編集する場合は、動画データと静止画データとで関連付けしているにも関わらず、それぞれ独立に画像効果を編集していた。したがって、画像処理を行うために多くの手間がかかってしまうという問題点がある。
【０００７】
本発明は前述の問題点に鑑み、動画の撮影中に静止画を撮影した場合に、関連付けられた画像データに対して簡単に画像処理を行うことができるようにすることを目的としている。
【課題を解決するための手段】
【０００８】
本発明の画像処理装置は、動画データと、前記動画データの撮影中に撮影された静止画データとを記憶する画像処理装置であって、前記動画データ及び静止画データに対して、前記動画データと前記静止画データとを互いに関連付けた画像処理を行う画像処理手段を有することを特徴とする。
また、本発明の画像処理装置の他の特徴とするところは、動画データと、前記動画データの撮影中に撮影された静止画データとを記憶する画像処理装置であって、前記静止画データに対して所定の画像処理を行うとともに、前記動画データに対して、前記静止画データに対する画像処理の結果を反映させた画像処理を行う画像処理手段を有することを特徴とする。
また、本発明の画像処理装置のその他の特徴とするところは、動画データと、前記動画データの撮影中に撮影された静止画データとを記憶する画像処理装置であって、前記動画データに対して所定の画像処理を行うとともに、前記静止画データに対して、前記動画データに対する画像処理の結果を反映させた画像処理を行う画像処理手段を有することを特徴とする。
また、本発明の画像処理装置のその他の特徴とするところは、１つの動画データの撮影中に撮影された複数の静止画データを記憶する画像処理装置であって、前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理手段を有することを特徴とする。
【０００９】
本発明の画像処理方法は、動画データと、前記動画データの撮影中に撮影された静止画データとを記憶する画像処理装置における画像処理方法であって、前記動画データ及び静止画データに対して、前記動画データと前記静止画データとを互いに関連付けた画像処理を行う画像処理工程を有することを特徴とする。
また、本発明の画像処理方法の他の特徴とするところは、動画データと、前記動画データの撮影中に撮影された静止画データとを記憶する画像処理装置における画像処理方法であって、前記静止画データに対して所定の画像処理を行うとともに、前記動画データに対して、前記静止画データに対する画像処理の結果を反映させた画像処理を行う画像処理工程を有することを特徴とする。
また、本発明の画像処理方法のその他の特徴とするところは、動画データと、前記動画データの撮影中に撮影された静止画データとを記憶する画像処理装置における画像処理方法であって、前記動画データに対して所定の画像処理を行うとともに、前記静止画データに対して、前記動画データに対する画像処理の結果を反映させた画像処理を行う画像処理工程を有することを特徴とする。
また、本発明の画像処理装置のその他の特徴とするところは、１つの動画データの撮影中に撮影された複数の静止画データを記憶する画像処理装置における画像処理方法であって、前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理工程を有することを特徴とする。
【００１０】
本発明のプログラムは、動画データと、前記動画データの撮影中に撮影された静止画データとを記憶する画像処理装置においてコンピュータに実行させるプログラムであって、前記動画データ及び静止画データに対して、前記動画データと前記静止画データとを互いに関連付けた画像処理を行う画像処理工程をコンピュータに実行させることを特徴とする。
また、本発明のプログラムの他の特徴とするところは、動画データと、前記動画データの撮影中に撮影された静止画データとを記憶する画像処理装置においてコンピュータに実行させるプログラムであって、前記静止画データに対して所定の画像処理を行うとともに、前記動画データに対して、前記静止画データに対する画像処理の結果を反映させた画像処理を行う画像処理工程をコンピュータに実行させることを特徴とする。
また、本発明のプログラムのその他の特徴とするところは、動画データと、前記動画データの撮影中に撮影された静止画データとを記憶する画像処理装置においてコンピュータに実行させるプログラムであって、前記動画データに対して所定の画像処理を行うとともに、前記静止画データに対して、前記動画データに対する画像処理の結果を反映させた画像処理を行う画像処理工程をコンピュータに実行させることを特徴とする。
また、本発明のプログラムのその他の特徴とするところは、１つの動画データの撮影中に撮影された複数の静止画データを記憶する画像処理装置においてコンピュータに実行させるプログラムであって、前記複数の静止画データの中の１つの静止画データに対して所定の画像処理を行うとともに、前記複数の静止画データの中の他の静止画データに対して、前記１つの静止画データに対する画像処理の結果を反映させた画像処理を行う画像処理工程をコンピュータに実行させることを特徴とする。
【００１１】
本発明の記憶媒体は、前記の何れかに記載のプログラムを記憶したことを特徴とする。
【発明の効果】
【００１２】
本発明によれば、関連付けされた画像データに対しても画像効果を反映させることによって、ユーザーの手間を省くとともに、関連付けしてあるデータ群の一貫性を保持することができる。
【発明を実施するための最良の形態】
【００１３】
（第１の実施形態）
以下、本発明の実施形態について図面を参照しながら説明する。
図１は、本実施形態に係るビデオカメラ１００の構成例を示すブロック図である。
図１において、レンズユニット１０１は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０１によって、最終的に後述のＣＣＤ１０２の結像面上に被写体像が結像される。ＣＣＤ（charge coupled device）１０２は、光を電荷に変換し撮像信号を生成する機能を有している。
【００１４】
カメラ信号処理部１０３は、ＣＣＤ１０２で生成された撮像信号にホワイトバランスやガンマ補正等の処理を施し、デジタル画像データを圧縮伸張回路１０４に出力する機能を有している。さらに、ハードディスク１１２やメモリ１０９に一旦記録された画像データに対して、ホワイトバランスや色の濃さなどの画像効果を再度編集することもできる。
【００１５】
圧縮伸張回路１０４は、デジタル画像データを圧縮して動画データ又は静止画データ（圧縮データ）を生成する機能を有している。また、圧縮伸張回路１０４は、動画データ又は静止画データ（圧縮データ）が入力されると、この圧縮データを伸張する機能も兼ね備えている。
【００１６】
マイクロコンピュータ（マイコン）１０７は、バス１１３を介してシステム全体を制御するためのものであり、フラッシュＲＯＭ１０８には、マイコン１０７が実行するプログラムなどが格納されている。また、フラッシュＲＯＭ１０８の一部領域は、バックアップ用としてシステムの状態などを保持するために使用される。また、メモリ１０９は、マイコン１０７やカメラ信号処理部１０３、圧縮伸張回路１０４などがワークとして使用する揮発性メモリである。
【００１７】
記録再生制御回路１１７は、圧縮伸張回路１０４で生成された圧縮データをコンピュータと互換のあるフォーマットに従って、ハードディスク（ＨＤＤ）１１２に記録する制御を行うためのものである。また、記録再生制御回路１１７は、ハードディスク１１２やメモリ１０９に記録されている画像データの管理情報を生成して記録する機能も有している。表示制御部１０５は、デジタル画像データ等を表示部である液晶パネル１０６に出力してデジタル画像を表示させる制御を行う。
【００１８】
また、音声については、マイクユニット１１５から入力され、スピーカー１１６や図示しない外部出力経路に出力される。なお、圧縮伸張を行う際には、圧縮伸張回路１０４は動画データとともに音声データを圧縮伸張する。すなわち、前述の動画データには音声データも多重化される。本実施形態ではＭＰＥＧ２方式で多重化されるものとする。
【００１９】
操作スイッチ群１１１は、ユーザーが操作入力するためのものである。操作スイッチ群１１１には、カメラ撮影を行うためのカメラモード、再生させるための再生モード、及び電源オフとするパワーオフモードを選択するためのスイッチなどが設けられている。また、ＵＳＢ端子１１４は、パーソナルコンピュータ（ＰＣ）やＤＶＤドライブなどの外部機器と接続するために備えられている。ハードディスク１１２に記録されている動画データ等を外部機器に送信する場合は、記録再生制御回路１１７により、ハードディスク１１２から動画データ等を読み出すように制御する。そして、マイコン１０７の制御により、ＵＳＢ端子１１４を経由して動画データや静止画データが外部機器に送信される。
【００２０】
図２は、動画データの撮影中に静止画データを撮影した際の、各動画フレームと静止画との時間的な関係の一例を示す図である。
図２に示す例では、静止画では、動画の各フレームと比較して画素数を多く設定し、ホワイトバランスや色の濃さといった画像効果を異なるように設定して撮影したことを示している。このように静止画と動画とでは撮影条件が異なっていることがある。
【００２１】
図３は、本実施形態に係るビデオカメラ１００のカメラ信号処理部１０３による画像の編集処理手順の一例を示すフローチャートである。また、図４は、本実施形態における画像処理結果の一例を示す模式図である。
まず、図３のステップＳ１０１において、ユーザーにより操作スイッチ群１１１が操作されて設定された条件に従って、カメラ信号処理部１０３は、入力された静止画データについて、ホワイトバランスや、色の濃さなどの画像効果を編集する。
【００２２】
次に、ステップＳ１０２において、マイコン１０７は、ステップＳ１０１で静止画データに施した画像効果を動画データに反映させる設定となっているか否かを判断する。この判断の結果、反映させる設定となっている場合は、ステップＳ１０３に進む。一方、ステップＳ１０２の判断の結果、反映させない設定となっている場合は編集処理を終了する。
【００２３】
なお、動画のホワイトバランスをオートホワイトバランスに設定している場合には、動画データがフレーム毎に画像効果が変化するように撮影されており、静止画で編集したホワイトバランスが動画の他のフレームにおいては合致しない可能性がある。このため、ホワイトバランスについては画像効果を反映させないようにしてもよい。
【００２４】
次に、ステップＳ１０３において、マイコン１０７は、この画像効果が編集された静止画データに関連付けられている動画データが存在するかどうかを判断する。この判断の結果、関連付けられている動画データが存在する場合は、ステップＳ１０４に進む。一方、ステップＳ１０３の判断の結果、関連付けられている動画データが存在しない場合は、そのまま編集処理を終了する。ここで、関連付けられている動画データが存在するか否かについての判断は、動画データの管理情報に含まれる撮影開始時刻及び撮影終了時刻の情報を参照することにより行う。
【００２５】
次に、ステップＳ１０４において、カメラ信号処理部１０３は、画像効果を反映させる動画フレームの範囲を設定する。なお、この範囲は、編集した画像効果に応じて決められた範囲でもよいし、ユーザーが範囲を指定するようにしてもよい。
【００２６】
次に、ステップＳ１０５において、カメラ信号処理部１０３は、静止画データに施した画像効果を設定された範囲の動画フレームに反映させ、編集処理を終了する。この際、記録再生制御回路１１７は、動画データの管理情報に画像効果の編集の履歴のタグを記録しておき、静止画データとのリンクを解除されても、動画データに施された画像効果の編集を元に戻すことができるようにする。また、指定された動画フレームの範囲が動画の一部分である場合は、指定された範囲の境界で画像効果が突然切り替わらないように、画像効果の変化量を徐々に弱めていくようにする。
【００２７】
また、１つの動画データの撮影中に複数の静止画データを撮影した場合であって、各静止画が異なる画像処理結果となるように画像処理をしている場合は、図４に示すように、その間の動画のフレームは徐々に変化していくように画像処理を反映させる。
【００２８】
さらに、動画データと静止画データとで画像効果が異なるように設定している場合には、自動的に画像効果を反映させないように設定することが可能なようにしてもよい。なお、反映するかしないかを選択する画面を液晶パネル１０６に表示し、ユーザーによって反映するかしないかを選択できるようにしてもよい。
【００２９】
また、動画データと静止画データとで画像効果が異なるように設定している場合に、静止画データの画像効果に合わせるように編集してもよく、動画データと静止画データとの画像効果の差を維持するように、画像効果の変化量を反映させるように編集してもよい。これらの設定は、ユーザーが操作スイッチ群１１１を操作することにより、画像効果を反映させないようにするか、静止画データの画像効果に合わせるようにするか、画像効果の変化量を反映させるようにするかを設定することができる。また、ステップＳ１０２及びステップＳ１０３の条件判定は順序が逆であってもよい。
【００３０】
また、本実施形態では、ビデオカメラ１００で撮影した動画及び静止画を対象にしたが、他の撮像装置で撮影された動画データ及び静止画データを受信し、受信した動画データ及び静止画データについて編集処理を行ってもよい。この場合、本実施形態のカメラ信号処理部１０３と同様の機能を有する画像処理装置により、本実施形態で説明した画像編集処理を行ってもよい。また、例えば、メモリカード等に記憶された画像データを対象にしてもよい。
【００３１】
以上のように本実施形態によれば、動画データの撮影中に静止画データを撮影され、静止画データが撮影された時刻と同時刻に撮影された動画データが記録されている。この場合に、ＰＣアプリやカメラＵＩを用いて静止画データに施した画像効果を後に動画データにも反映させることができる。また、静止画データと動画データとの画像効果の関連性を保持することができる。
【００３２】
（第２の実施形態）
第１の実施形態では、静止画データの画像効果を動画データの一部又は全部に反映させる例について説明した。本実施形態では、動画データの画像効果を静止画データに反映させる例について説明する。なお、本実施形態のビデオカメラの構成は、第１の実施形態と同様であるため、説明は省略する。
【００３３】
図５は、本実施形態に係るビデオカメラ１００のカメラ信号処理部１０３による画像の編集処理手順の一例を示すフローチャートである。また、図６は、本実施形態における画像処理結果の一例を示す模式図である。
まず、図５のステップＳ２０１において、ユーザーにより操作スイッチ群１１１が操作されて設定された条件に従って、カメラ信号処理部１０３は、入力された動画データについて、ホワイトバランスや、色の濃さなどの画像効果を編集する。
【００３４】
次に、ステップＳ２０２において、マイコン１０７は、動画データに施した画像効果を静止画データに反映させる設定となっているか否かを判断する。この判断の結果、反映させる設定となっている場合は、ステップＳ２０３に進む。一方、ステップＳ２０２の判断の結果、反映させない設定となっている場合は、編集処理を終了する。
【００３５】
次に、ステップＳ２０３において、マイコン１０７は、この画像効果が編集された動画データに関連付けられている静止画データが存在するかどうかを判断する。この判断の結果、関連付けられている静止画データが存在する場合は、ステップＳ２０４に進む。一方、ステップＳ２０３の判断の結果、関連付けられている静止画データが存在しない場合は、そのまま編集処理を終了する。ここで、関連付けられている静止画データが存在するか否かについての判断は、動画データの管理情報に含まれる撮影開始時刻及び撮影終了時刻の情報を用いて、静止画データの撮影時刻を参照することにより行う。
【００３６】
次に、ステップＳ２０４において、カメラ信号処理部１０３は、図６に示すように、動画データに施した画像効果を静止画データに反映させ、編集処理を終了する。この際、記録再生制御回路１１７は、静止画データの管理情報に画像効果の編集の履歴のタグを記録しておき、動画データとのリンクを解除されても、静止画データに施された画像効果の編集を元に戻すことができるようにする。
【００３７】
また、動画データと静止画データとで画像効果が異なるように設定している場合は、自動的に効果を反映させないようにしてもよい。また、反映するかしないかを選択する画面を液晶パネル１０６に表示し、ユーザーによって反映するかしないかを選択できるようにしてもよい。
【００３８】
また、動画データと静止画データとで画像効果が異なるように設定している場合には、動画データの画像効果に合わせるように編集してもよく、動画データと静止画データとの画像効果の差を維持するように、画像効果の変化量を反映させるように編集してもよい。これらの設定は、ユーザーが操作スイッチ群１１１を操作することにより、画像効果を反映させないようにするか、動画データの画像効果に合わせるようにするか、画像効果の変化量を反映させるようにするかを設定することができる。また、ステップＳ２０２及びステップＳ２０３の条件判定は順序が逆であってもよい。また、第１の実施形態と同様に、他の撮像装置で撮影された画像データに対して画像編集処理を行ってもよい。
【００３９】
以上のように本実施形態によれば、動画データの撮影中に静止画データが撮影され、動画データが撮影されている時間内に撮影された静止画データが記録されている。この場合に、ＰＣアプリやカメラＵＩを用いて動画データに施した画像効果を、後に静止画データにも反映させることができる。また、静止画データと動画データとの画像効果の関連性を保持することができる。
【００４０】
（第３の実施形態）
本実施形態では、動画データの撮影中に静止画データが複数撮影された場合において、１つの静止画データの画像効果を他の静止画データに反映させる例について説明する。なお、本実施形態のビデオカメラの構成は、第１の実施形態と同様であるため、説明は省略する。
【００４１】
図７は、本実施形態に係るビデオカメラ１００のカメラ信号処理部１０３による画像の編集処理点順の一例を示すフローチャートである。また、図８は、本実施形態における画像処理結果の一例を示す模式図である。
【００４２】
まず、図７のステップＳ３０１において、ユーザーにより操作スイッチ群１１１が操作されて設定された条件に従って、カメラ信号処理部１０３は、入力された静止画データについて、ホワイトバランスや、色の濃さなどの画像効果を編集する。
【００４３】
次に、ステップＳ３０２において、マイコン１０７は、ステップＳ３０１で静止画データに施した画像効果を他の静止画データに反映させる設定となっているか否かを判断する。この判断の結果、反映させる設定となっている場合は、ステップＳ３０３に進む。一方、ステップＳ３０２の判断の結果、反映させない設定となっている場合は編集処理を終了する。
【００４４】
次に、ステップＳ３０３において、マイコン１０７は、この画像効果が編集された静止画データに関連付けられている動画データに同じく関連付けられている他の静止画データが存在するかどうかを判断する。この判断の結果、他の静止画データが存在する場合は、ステップＳ３０４に進む。一方、ステップＳ３０３の判断の結果、他の静止画データが存在しない場合は、そのまま編集処理を終了する。
【００４５】
次に、ステップＳ３０４において、カメラ信号処理部１０３は、図８に示すように、ステップＳ３０１で静止画データに施した画像効果を他の静止画データに反映させ、編集処理を終了する。この際、記録再生制御回路１１７は、画像効果が反映される他の静止画データの管理情報に画像効果の編集の履歴のタグを記録しておき、元の静止画データとのリンクを解除されても、静止画データに施された画像効果の編集を元に戻すことができるようにする。
【００４６】
また、各々の静止画データで画像効果が異なるように設定している場合には、自動的に効果を反映させないようにしてもよい。なお、反映するかしないかを選択する画面を液晶パネル１０６に表示し、ユーザーによって反映するかしないかを選択できるようにしてもよい。
【００４７】
また、各々の静止画データで画像効果が異なるように設定している場合に、ユーザーにより設定された条件に基づいて編集した静止画データの画像効果に合わせるように他の静止画データを編集してもよい。もしくは、各々の静止画データの画像効果の差を維持するように、画像効果の変化量を反映させるように編集してもよい。これらの設定は、ユーザーが操作スイッチ群１１１を操作することにより、画像効果を反映させないようにするか、他の静止画データの画像効果に合わせるようにするか、画像効果の変化量を反映させるようにするかを設定することができる。また、ステップＳ３０２及びステップＳ３０３の条件判定は順序が逆であってもよい。また、第１の実施形態と同様に、他の撮像装置で撮影された画像データに対して画像編集処理を行ってもよい。
【００４８】
以上のように本実施形態によれば、動画データの撮影中に複数の静止画データが撮影された場合に、ＰＣアプリやカメラＵＩを用いて１つの静止画データに施した画像効果を、他の静止画データにも反映させることができる。また、各々の静止画データの画像効果の関連性を保持することができる。
【００４９】
（本発明に係る他の実施形態）
前述した本発明の実施形態における画像処理装置を構成する各手段、並びに画像処理方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００５０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５１】
なお、本発明は、前述した実施形態の機能を実現するソフトウェアのプログラム（実施形態では図３、５、７に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００５２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５３】
その場合、プログラムの機能を有していれば、オブジェクトコード、インタプリタにより実行されるプログラム、ＯＳに供給するスクリプトデータ等の形態であってもよい。
【００５４】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００５５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００５６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【００５７】
また、その他の方法として、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００５９】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６０】
【図１】本発明の第１の実施形態に係るビデオカメラの構成例を示すブロック図である。
【図２】動画の撮影中に静止画を撮影した際の各動画フレームと静止画との時間的な関係の一例を示す図である。
【図３】本発明の第１の実施形態に係るビデオカメラのカメラ信号処理部による画像の編集処理手順の一例を示すフローチャートである。
【図４】本発明の第１の実施形態における画像処理結果の一例を示す模式図である。
【図５】本発明の第２の実施形態に係るビデオカメラのカメラ信号処理部による画像の編集処理手順の一例を示すフローチャートである。
【図６】本発明の第２の実施形態における画像処理結果の一例を示す模式図である。
【図７】本発明の第３の実施形態に係るビデオカメラのカメラ信号処理部による画像の編集処理手順の一例を示すフローチャートである。
【図８】本発明の第３の実施形態における画像処理結果の一例を示す模式図である。
【符号の説明】
【００６１】
１００  ビデオカメラ
１０１  レンズユニット
１０２  ＣＣＤ
１０３  カメラ信号処理部
１０４  圧縮伸張回路
１０５  表示制御部
１０６  液晶パネル
１０７  マイコン
１０８  フラッシュＲＯＭ
１０９  メモリ
１１１  操作スイッチ群
１１２  ハードディスク
１１３  バス
１１４  ＵＳＢ端子
１１５  マイクユニット
１１６  スピーカー
１１７  記録再生制御回路
【図１】
2010050913.tif 000003
【図２】
2010050913.tif 000004
【図３】
2010050913.tif 000005
【図４】
2010050913.tif 000006
【図５】
2010050913.tif 000007
【図６】
2010050913.tif 000008
【図７】
2010050913.tif 000009
【図８】
2010050913.tif 000010